(57)【要約】【課題】簡易な構成で、電子ペンリフィルを含んだ複数のリフィルを備える位置指示器を提供する。【解決手段】電子ペン機能が搭載された電子ペンリフィルである第１リフィルが先端側の第１先端孔から装着される第１軸部と、電子ペン機能が搭載された電子ペンリフィル又は筆記用リフィルである第２リフィルが先端側の第２先端孔から装着される第２軸部と、を少なくとも含む軸部を備え、前記第１軸部の後端部には、前記第２リフィルの先端部を挿入可能な軸方向に沿った第１後端孔が形成され、前記第２軸部の後端部には、前記第１リフィルの先端部を挿入可能な前記軸方向に沿った第２後端孔が形成され、前記軸部は、前記第１軸部が先端側、前記第２軸部が後端側に位置するよう、又は、前記第２軸部が先端側、前記第１軸部が後端側に位置するように、前記軸方向に沿って連結可能である。【選択図】図１
2020067801.tif 000002
【特許請求の範囲】
【請求項１】
電子ペン機能が搭載された電子ペンリフィルである第１リフィルが先端側の第１先端孔から装着される第１軸部と、
電子ペン機能が搭載された電子ペンリフィル又は筆記用リフィルである第２リフィルが先端側の第２先端孔から装着される第２軸部と、
を少なくとも含む軸部を備え、
前記第１軸部の後端部には、前記第２リフィルの先端部を挿入可能な軸方向に沿った第１後端孔が形成され、
前記第２軸部の後端部には、前記第１リフィルの先端部を挿入可能な前記軸方向に沿った第２後端孔が形成され、
前記軸部は、前記第１軸部が先端側、前記第２軸部が後端側に位置するよう、又は、前記第２軸部が先端側、前記第１軸部が後端側に位置するように、前記軸方向に沿って連結可能である位置指示器。
【請求項２】
前記軸部は、
前記第１後端孔に、前記第２軸部に装着された前記第２リフィルの先端部を直接挿入することで、前記第１軸部が先端側、前記第２軸部が後端側に位置するよう連結可能であり、
前記第２後端孔に、前記第１軸部に装着された前記第１リフィルの先端部を直接挿入することで、前記第２軸部が先端側、前記第１軸部が後端側に位置するよう連結可能である請求項１に記載の位置指示器。
【請求項３】
前記第１軸部の先端部には、前記第２後端孔に挿入可能な第１挿入部が形成され、
前記第２軸部の先端部には、前記第１後端孔に挿入可能な第２挿入部が形成され、
前記軸部は、
前記第１後端孔に、前記第２挿入部を挿入することで、前記第１軸部が先端側、前記第２軸部が後端側に位置するよう連結可能であり、
前記第２後端孔に、前記第１挿入部を挿入することで、前記第２軸部が先端側、前記第１軸部が後端側に位置するよう連結可能である請求項１に記載の位置指示器。
【請求項４】
前記第１リフィル及び前記第２リフィルのうち、先端側に位置するリフィルの前記軸部からの露出部分を被覆する被覆部材を備える請求項１から請求項３の何れか１項に記載の位置指示器。
【請求項５】
前記被覆部材は、電子ペン機能が搭載された電子ペンリフィルが反射する電磁エネルギーの周波数を変化させる変化部材を備える請求項４に記載の位置指示器。
【発明の詳細な説明】
【技術分野】
【０００１】
本発明は、位置指示器に関する。
【背景技術】
【０００２】
近年、画面上への物理的な接触により入力を行う、デジタイザ等のポインティングデバイスが広く用いられている。すなわち、ペン型に形成された位置指示器で、位置検出装置が設けられた板状の入力装置の入力面に接触して接触位置を検出するものである。
【０００３】
このようなデジタイザには様々な方式があるが、その中に、電磁誘導方式がある。これは、位置指示器の中に、入力装置の入力面の下に設置されている位置検出装置が発生する特定の周波数の電磁波に対して共振する電磁誘導コイルが設けられていて、この共振が生じた位置を入力位置として認識するものである。
【０００４】
このような電磁誘導方式を用いた位置指示器としては、下記特許文献１に記載されたものがある。
【先行技術文献】
【特許文献】
【０００５】
【特許文献１】ＷＯ  ２０１６／１２９６１４
【発明の概要】
【発明が解決しようとする課題】
【０００６】
上記特許文献１に記載の位置指示器は、ボールペンリフィルと電磁誘導方式の電子ペンリフィルとを備えたものである。この位置指示器は、所謂ノック式であり、ノック操作部を操作することにより、ボールペンリフィル及び電子ペンリフィルの各々の出没を行うものである。しかし、ノック式とした位置指示器に複数のリフィルを搭載する場合には、リフィルの数を増やす度に、そのリフィルの出没を可能とするための機構を新たに搭載しなければならず、部品点数が増えてしまうといった問題を有する。
【０００７】
そこで、本発明は、簡易な構成で、電子ペンリフィルを含んだ複数のリフィルを備える位置指示器を提供することを目的とする。
【課題を解決するための手段】
【０００８】
上記課題を解決するために、本発明の実施態様は、以下のような構成を備える。
（１）第１の実施態様
本発明の第１の実施態様における位置指示器は、電子ペン機能が搭載された電子ペンリフィルである第１リフィルが先端側の第１先端孔から装着される第１軸部と、電子ペン機能が搭載された電子ペンリフィル又は筆記用リフィルである第２リフィルが先端側の第２先端孔から装着される第２軸部と、を少なくとも含む軸部を備え、前記第１軸部の後端部には、前記第２リフィルの先端部を挿入可能な軸方向に沿った第１後端孔が形成され、前記第２軸部の後端部には、前記第１リフィルの先端部を挿入可能な前記軸方向に沿った第２後端孔が形成され、前記軸部は、前記第１軸部が先端側、前記第２軸部が後端側に位置するよう、又は、前記第２軸部が先端側、前記第１軸部が後端側に位置するように、前記軸方向に沿って連結可能である。
【０００９】
（２）第２の実施態様
本発明の第２の実施態様における位置指示器は、第１の実施態様に加え、前記軸部は、前記第１後端孔に、前記第２軸部に装着された前記第２リフィルの先端部を直接挿入することで、前記第１軸部が先端側、前記第２軸部が後端側に位置するよう連結可能であり、前記第２後端孔に、前記第１軸部に装着された前記第１リフィルの先端部を直接挿入することで、前記第２軸部が先端側、前記第１軸部が後端側に位置するよう連結可能である。
【００１０】
（３）第３の実施態様
本発明の第３の実施態様における位置指示器は、第１の実施態様に加え、前記第１軸部の先端部には、前記第２後端孔に挿入可能な第１挿入部が形成され、前記第２軸部の先端部には、前記第１後端孔に挿入可能な第２挿入部が形成され、前記軸部は、前記第１後端孔に、前記第２挿入部を挿入することで、前記第１軸部が先端側、前記第２軸部が後端側に位置するよう連結可能であり、前記第２後端孔に、前記第１挿入部を挿入することで、前記第２軸部が先端側、前記第１軸部が後端側に位置するよう連結可能である。
【００１１】
（４）第４の実施態様
本発明の第４の実施態様における位置指示器は、第１、第２、又は第３の実施態様に加え、前記第１リフィル及び前記第２リフィルのうち、先端側に位置するリフィルの前記軸部からの露出部分を被覆する被覆部材を備える。
【００１２】
（５）第５の実施態様
本発明の第５の実施態様における位置指示器は、第４の実施態様に加え、前記被覆部材は、電子ペン機能が搭載された電子ペンリフィルが反射する電磁エネルギーの周波数を変化させる変化部材を備える。
【発明の効果】
【００１３】
本発明によれば、簡易な構成で、電子ペンリフィルを含んだ複数のリフィルを備える位置指示器を提供することができる。
【図面の簡単な説明】
【００１４】
【図１】第１の実施形態に係る位置指示器における電子ペン入力状態（装着状態）を示す正面断面図（Ａ）、電子ペン入力状態（非装着状態）を示す正面断面図（Ｂ）、及びボールペン筆記状態を示す正面断面図（Ｃ）である。
【図２】図１に示す位置指示器の構成部品を分離した図である。
【図３】第１の実施形態に係る位置指示器の使用状態を示す斜視図である。
【図４】第２の実施形態に係る位置指示器における電子ペン入力状態（装着状態）を示す正面断面図（Ａ）、電子ペン入力状態（非装着状態）を示す正面断面図（Ｂ）、及びボールペン筆記状態を示す正面断面図（Ｃ）である。
【図５】図４に示す位置指示器の構成部品を分離した図である。
【発明を実施するための形態】
【００１５】
本実施の形態を図面を参照しつつ説明する。なお、以下の説明における「先端側」とは、位置指示器５の軸方向のうち、後述する第１リフィル４０による入力側又は第２リフィル５０による筆記側をいい、「後端側」とは、「先端側」の反対側をいう。
【００１６】
（第１の実施形態）
図１は、第１の実施形態に係る位置指示器５の正面断面図である。具体的には、図１（Ａ）及び図１（Ｂ）は、電子ペン機能が搭載された電子ペンリフィルである第１リフィル４０による入力が可能な「電子ペン入力状態」を示す正面断面図であり、図１（Ｃ）は、筆記用リフィルとしてのボールペンリフィルである第２リフィル５０による筆記が可能な「ボールペン筆記状態」を示す正面断面図である。また、図１（Ａ）は、電子ペン入力状態のうち、後述する被覆部材６０が装着された装着状態を示し、図１（Ｂ）は、電子ペン入力状態のうち、被覆部材６０が装着されていない非装着状態を示している。なお、第１リフィル４０の詳細については後述する。
【００１７】
図１（Ａ）に示すように、位置指示器５は、外部構造として、第１リフィル４０が先端側から装着された第１軸部２０と、第２リフィル５０が先端側から装着された第２軸部３０と、を含む樹脂製の軸部１０を備えている。
【００１８】
第１軸部２０及び第２軸部３０は、筒状に形成されており、各々の先端から後端に向かう孔が形成されている。
具体的には、第１軸部２０の先端からは、第１リフィル４０の外径よりやや大きい径を有する第１先端孔２２が形成されている。また、第１先端孔２２の深さ（軸方向の長さ）は、第１リフィル４０の後端が第１先端孔２２の端部に接触した際に第１リフィル４０の先端部が第１軸部２０の先端から露出可能な長さに形成されている。
【００１９】
また、第２軸部３０の先端からは、第２リフィル５０の外径よりやや大きい径を有する第２先端孔３２が形成されている。また、第２先端孔３２の深さ（軸方向の長さ）は、第２リフィル５０の後端が第２先端孔３２の端部に接触した際に第２リフィル５０の先端部が第２軸部３０の先端から露出可能な長さに形成されている。
【００２０】
さらに、第１軸部２０及び第２軸部３０の各々の後端からは、先端に向かう孔が形成されている。
具体的には、第１軸部２０の後端からは、第２リフィル５０の外径よりやや大きい径を有する第１後端孔２４が形成されている。また、第１後端孔２４の深さ（軸方向の長さ）は、第２軸部３０の先端から露出した第２リフィル５０の先端部を収容可能な長さに形成されている。
【００２１】
また、第２軸部３０の後端からは、第１リフィル４０の外径よりやや大きい径を有する第２後端孔３４が形成されている。また、第２後端孔３４の深さ（軸方向の長さ）は、第１軸部２０の先端から露出した第１リフィル４０の先端部を収容可能な長さに形成されている。
【００２２】
ここで、第１リフィル４０の外径は、第２リフィル５０の外径よりも大きい。そのため、第１先端孔２２の径は、第２先端孔３２の径よりも大きくなっている。また、第１後端孔２４の径は、第２後端孔３４の径よりも小さくなっている。
【００２３】
以上のように、第１の実施形態における軸部１０は、第１リフィル４０及び第２リフィル５０を挿入可能な先端側及び後端側の孔が、第１リフィル４０及び第２リフィル５０の各々の外径に対応して形成されている。これにより、この軸部１０は、第１軸部２０及び第２軸部３０が軸方向に沿って連結可能となっている。
【００２４】
例えば、図２（Ａ）に示す第１リフィル４０が挿入された第１軸部２０及び第２リフィル５０が挿入された第２軸部３０が分離している状態から、第１後端孔２４に第２リフィル５０の先端部を挿入することで、第１軸部２０が先端側、第２軸部３０が後端側に位置する電子ペン入力状態となる（図１（Ｂ）参照）。また、図２（Ｂ）に示す第１リフィル４０が挿入された第１軸部２０及び第２リフィル５０が挿入された第２軸部３０が分離している状態から、第２後端孔３４に第１リフィル４０の先端部を挿入することで、第２軸部３０が先端側、第１軸部２０が後端側に位置するボールペン筆記状態となる（図１（Ｃ）参照）。
【００２５】
そして、図１（Ａ）に示す電子ペン入力状態においては、被覆部材６０により第１軸部２０からの第１リフィル４０の露出部分が被覆されている。この被覆部材６０の内部には、電子ペン機能が搭載された電子ペンリフィル、第１の実施形態では、第１リフィル４０が反射する電磁エネルギーの発振周波数を変化させる変化部材６２が収容されている。なお、変化部材６２の詳細については後述する。
【００２６】
次に、電子ペン機能が搭載された電子ペンリフィルである第１リフィル４０の詳細について説明する。
第１リフィル４０の内部構造については図示しないが、この第１リフィル４０は、電磁誘導方式による入力に用いられるものであって、たとえば、以下の構成を備えている。
【００２７】
第１リフィル４０は、図１に示すように、樹脂製の収容筒４２を備えている。この収容筒４２の先端側には、棒状のフェライトコア（図示せず）が内蔵され、フェライトコアの先端に、例えばポリアセタールのような合成樹脂製の接触先端４４が装着されている。また、フェライトコアの周囲には電磁誘導コイル（図示せず）が外挿されている。さらに、収容筒４２の内部空間におけるフェライトコアよりも後端側には、電磁誘導コイルと電気的に接続された静電容量可変のコンデンサ（図示せず）と、静電容量固定のコンデンサ（図示せず）と、共振周波数を微調整するための各種受動素子（図示せず）と、が収容されている。
【００２８】
次に、変化部材６２の詳細について説明する。
変化部材６２は、第１リフィル４０が反射する電磁エネルギーの周波数を変化させる、具体的には、第１リフィル４０内部の発振回路と電磁結合するものである。この変化部材６２は、少なくともコイルとコンデンサとで構成されている。
【００２９】
変化部材６２は、第１リフィル４０と同じタイミングで位置検出装置から受け取った電磁エネルギーを反射する。そのため、装着状態においては、変化部材６２が反射する磁束が第１リフィル４０の電磁誘導コイル（図示せず）を貫くことで、第１リフィル４０の電磁誘導コイルの鎖交磁束が変化し、第１リフィル４０の発振周波数が変化する。第１の実施形態では、装着状態における第１リフィル４０の発振周波数は、非装着状態に比べて大きくなっている。
【００３０】
（作用効果）
上記のように、軸部１０は、第１軸部２０及び第２軸部３０が軸方向に沿って連結可能となっている。そのため、軸部１０を構成する先端側と後端側とを入れ替えることで、第１リフィル４０と第２リフィル５０とを使い分けることができる。具体的には、第１軸部２０を軸部１０の先端側に配置すると、第１リフィル４０により入力装置１００（図３参照）に描線等の電子情報が入力可能となり、第２軸部３０を軸部１０の先端側に配置すると、第２リフィル５０により紙面に筆記可能となる。
【００３１】
ここで、軸筒内に電子ペン機能が搭載された電子ペンリフィルと筆記用リフィルとの複数のリフィルを備える場合に、所謂ノック式や回転繰り出し式を採用すると、ノック機構や回転繰り出し機構が必要となるため、部品点数が多くなるという問題点を有する。
【００３２】
これに対し、第１の実施形態における位置指示器５は、第１軸部２０、第２軸部３０、第１リフィル４０及び第２リフィル５０の４部品で構成されている。そのため、第１の実施形態によれば、簡易な構成で、電子ペン機能が搭載された電子ペンリフィルを含んだ複数のリフィルを備える位置指示器５を提供することができる。
【００３３】
また、第１の実施形態では、第１リフィル４０又は第２リフィル５０の先端部を、対応する第１後端孔２４又は第２後端孔３４の各々に直接挿入している。ここで、「直接挿入する」とは、第１リフィル４０又は第２リフィル５０の外周面が、対応する第１後端孔２４又は第２後端孔３４の内周面に接するよう装着することをいう。そのため、第１の実施形態によれば、各々のリフィルの先端部を他部材で被覆し、その被覆部分を各々の孔に挿入する場合に比べて、軸部１０の外径を小さくでき、細軸の位置指示器５を提供することができる。
【００３４】
さらに、第１の実施形態では、第１軸部２０を軸部１０の先端側に配置した場合には、被覆部材６０の有無により、入力装置１００に入力可能な電子情報を切り替えることができる。
【００３５】
ここで、図３に示す入力装置１００には、なぞった筆跡に対応する描線が電子情報として入力される「筆記モード」と、なぞった筆跡に対応する部分の電子情報が消去される「消去モード」とが設けられている。この入力装置１００は、第１リフィル４０から帰還する電磁エネルギーの発振周波数に基づいて上記の各モードの切替を行っており、所定の周波数の範囲である第１範囲では「筆記モード」に設定され、第１範囲よりも周波数が大きい第２範囲では「消去モード」に設定されるよう予め構成されている。
【００３６】
さらに、入力装置１００が有する位置検出装置（図示せず）には、第１リフィル４０に電磁エネルギーを送信するためのコイル（図示せず）が複数設けられている。一方、第１リフィル４０には、送信信号の周波数に応じた共振周波数を有する発振回路（図示せず）が設けられている。第１リフィル４０は、位置検出装置のコイルと第１リフィル４０の発振回路との電磁誘導作用により電磁エネルギーを蓄えることができる。
【００３７】
そして、第１リフィル４０は、発振回路に蓄えた電磁エネルギーを位置検出装置に帰還させ、位置検出装置は、第１リフィル４０からの電磁エネルギーを検出する。具体的には、位置検出装置は、送信信号を供給したコイルの位置と、第１リフィル４０の発振回路からの電磁エネルギーを検出したコイルの位置とにより、第１リフィル４０が指示する座標値を検出する。これにより文字等を描くことができる。
【００３８】
ここで、図３（Ａ）に示す非装着状態では、変化部材６２が第１リフィル４０の電磁誘導コイル（図示せず）に影響を与えないため、第１リフィル４０内部の発振回路にプリセットされている筆記モード用の発振周波数が位置検出装置に伝達される。したがって、非装着状態においては、入力装置１００では、第１範囲内であると判断し、筆記モードを設定している。そのため、非装着状態において、入力装置１００の入力面１０２を接触先端４４でなぞると、その入力装置１００に文字、例えば、図３（Ａ）に示すようなアルファベットの「Ｐ」を描くことができる。
【００３９】
一方、図３（Ｂ）に示す装着状態では、変化部材６２（図１（Ａ）参照）が第１リフィル４０の電磁誘導コイル（図示せず）の鎖交磁束を変化させることで、第１リフィル４０が発する電磁エネルギーの発振周波数が非装着状態に比べて大きくなっている。これにより、入力装置１００では、第２範囲内であると判断し、消去モードを設定している。そのため、装着状態において、上記で記載されたアルファベットの「Ｐ」の一部をなぞると、なぞられた部分に対応するアルファベットの「Ｐ」の部分の電子情報が消去され、入力装置１００の入力面１０２からなぞられた部分が消失する（図３（Ｂ）参照）。
【００４０】
以上のように、第１の実施形態によれば、被覆部材６０により第１軸部２０又は第２軸部３０の先端から露出する第１リフィル４０又は第２リフィル５０を保護できるため、被覆部材６０を備えない場合に比べて、第１リフィル４０又は第２リフィル５０の消耗を軽減できる。
【００４１】
さらに、第１の実施形態によれば、被覆部材６０が変化部材６２を備えることで、入力装置１００に入力可能な電子情報を切り替えることができ、例えば、筆記モードと消去モードとを入力装置１００に設けることができる。
【００４２】
ここで、出願人が行った実験により、軸筒内に電子ペン機能が搭載された電子ペンリフィルと磁性を有する金属製の先端を備えたボールペンリフィルとの複数のリフィルを備える場合において、電子ペンリフィルの先端と、ボールペンリフィルの先端との距離が少なくとも１５ｍｍ以上、好ましくは２０ｍｍ以上隔たっていないと、電磁誘導が阻害されることが確認されている。これは、電子ペンリフィルが備えるフェライトコアに、ボールペンリフィルの先端に用いられる金属部品（例：ボールペンチップ５２（図１参照））が干渉することで、電磁誘導に影響を及ぼすものと考えられる。したがって、上記の電子ペンリフィルによる電磁誘導に影響のない距離は、少なくとも１５ｍｍ以上とされている。
【００４３】
第１の実施形態では、図１（Ａ）及び図１（Ｂ）に示す電子ペン入力状態において、第１リフィル４０の先端と、第２リフィル５０の先端とは、少なくとも、第１リフィル４０の軸方向の長さ分は隔たるよう構成されている。そして、この距離は、第１リフィル４０による電磁誘導に影響のない距離であり、具体的には１５ｍｍ以上隔たっている。そのため、第１の実施形態によれば、ボールペンチップ５２が第１リフィル４０による電磁誘導に影響を与えて、入力装置１００への入力を妨げることを抑制できる。
【００４４】
（第２の実施形態）
次に、第２の実施形態について、第１の実施形態との重複部分を省略又は簡略化しつつ説明する。
【００４５】
図４は、第２の実施形態に係る位置指示器５の正面断面図である。具体的には、図４（Ａ）及び図４（Ｂ）は、電子ペン入力状態を示す正面断面図であり、図４（Ｃ）は、ボールペン筆記状態を示す正面断面図である。また、図４（Ａ）は、電子ペン入力状態のうち装着状態を示し、図４（Ｂ）は、電子ペン入力状態のうち非装着状態を示している。
【００４６】
第２の実施形態における第１軸部２０は、第１胴部２６と、第１胴部２６の先端から軸方向に沿って延出し、第１胴部２６の外径よりも縮径した第１挿入部２８と、を備えている。そして、第１挿入部２８の先端から第１胴部２６の後端にかけて第１先端孔２２が形成されており、第１リフィル４０が挿入されている。また、第１胴部２６の後端側には、第１後端孔２４が形成されている。
【００４７】
第２の実施形態における第２軸部３０は、第２胴部３６と、第２胴部３６の先端から軸方向に沿って延出し、第２胴部３６の外径よりも縮径した第２挿入部３８と、を備えている。そして、第２挿入部３８の先端から第２胴部３６の後端にかけて第２先端孔３２が形成されており、第２リフィル５０が挿入されている。また、第２胴部３６の後端側には、第２後端孔３４が形成されている。
【００４８】
ここで、第１挿入部２８は、第１軸部２０のうち、第２後端孔３４に挿入可能な部分であり（図５（Ｂ）参照）、第２挿入部３８は、第２軸部３０のうち、第１後端孔２４に挿入可能な部分である（図５（Ａ）参照）。そのため、第１挿入部２８の外径は、第２後端孔３４の径よりもやや小さく形成されており、また、第２挿入部３８の外径は、第１後端孔２４の径よりもやや小さく形成されている。
【００４９】
つまり、第２の実施形態は、第１リフィル４０及び第２リフィル５０の各々を、対応する第１後端孔２４又は第２後端孔３４の各々に直接挿入せず、第１挿入部２８又は第２挿入部３８を第１後端孔２４又は第２後端孔３４に挿入することで、第１軸部２０及び第２軸部３０を連結させている。ここで、「第１挿入部２８又は第２挿入部３８を第１後端孔２４又は第２後端孔３４に挿入する」とは、第１リフィル４０又は第２リフィル５０の外周面が、対応する第１後端孔２４又は第２後端孔３４の内周面に接しないよう装着することを意味する。
【００５０】
そのため、第２の実施形態によれば、リフィルの先端部を対応する孔に直接挿入する場合に比べて、第１リフィル４０及び第２リフィル５０が傷付くことを抑制でき、第１リフィル４０及び第２リフィル５０の寿命を延ばすことができる。
【００５１】
（その他）
上記の実施形態では、軸部１０を、第１軸部２０と第２軸部３０との２軸で構成したが、これに限らず、軸部１０を３軸以上で構成してもよい。つまり、軸部１０を３軸以上で連結可能に構成してもよい。
【００５２】
上記の実施形態では、第２軸部３０に第２リフィル５０を装着することで、位置指示器５にボールペンの機能を備えることとした。しかし、これに限らず、第２軸部３０にサインペンやマーキングペンのユニットを装着することで、位置指示器５にサインペンやマーキングペンの機能を備えさせてもよい。
【００５３】
また、第２リフィル５０をボールペンリフィルとすることに限らず、第２リフィル５０として電子ペン機能が搭載された電子ペンリフィルを装着し、第１軸部２０と第２軸部３０との双方に電子ペン機能を搭載してもよい。この場合には、各々の電子ペンリフィルから帰還する電磁エネルギーの発振周波数が異なるよう構成することで、入力装置１００が実行可能なモード数を増やすことができる。例えば、上記の実施形態では、一方の電子ペンリフィル（例：第１リフィル４０）のみの操作と、一方の電子ペンリフィルを被覆部材６０で被覆した状態での操作と、他方の電子ペンリフィル（例：第２リフィル５０）のみの操作と、他方の電子ペンリフィルを被覆部材６０で被覆した状態での操作とで、４つの異なるモードを入力装置１００に設定することができる。
【００５４】
上記の実施形態では、第１リフィル４０を、電磁誘導方式による入力に用いられるものとしたが、これに限らず、静電容量式や感圧式による入力に用いられるものとしてもよい。
【００５５】
上記の実施形態では、変化部材６２を備えることで、変化部材６２を備えない場合に比べて、電子ペン機能が搭載された電子ペンリフィルが発する電磁エネルギーの発振周波数を大きくした。しかし、これに限らず、変化部材６２を備えることで、変化部材６２を備えない場合に比べて、電子ペン機能が搭載された電子ペンリフィルが発する電磁エネルギーの発振周波数を小さくしてもよい。
【符号の説明】
【００５６】
５  位置指示器                              １０  軸部
２０  第１軸部                              ２２  第１先端孔
２４  第１後端孔                            ２６  第１胴部
２８  第１挿入部
３０  第２軸部                              ３２  第２先端孔
３４  第２後端孔                            ３６  第２胴部
３８  第２挿入部
４０  第１リフィル                          ４２  収容筒
４４  接触先端
５０  第２リフィル                          ５２  ボールペンチップ
６０  被覆部材                              ６２  変化部材
１００  入力装置                          １０２  入力面
【図１】
2020067801.tif 000003
【図２】
2020067801.tif 000004
【図３】
2020067801.tif 000005
【図４】
2020067801.tif 000006
【図５】
2020067801.tif 000007